(57)【要約】【課題】本発明は、電力機器とそれを用いた電子機器と電力供給素子検査設備に関するもので、小型化を図ることを目的とするものである。【解決手段】そしてこの目的を達成するために本発明は、本体ケース１と、本体ケース１内に設けた複数の電力供給素子２と、複数の電力供給素子２に対向配置した消火剤流出空間３とを備え、消火剤流出空間３は、複数の電力供給素子２に向けて消火剤を噴出する消火剤噴出孔４を複数有する消火剤噴出空間５と、この消火剤噴出空間５に複数の消火剤供給孔６を介して連結された消火剤供給空間７とを有し、消火剤供給空間７に、開閉弁８を介して消火剤タンク９を、連結した。【選択図】図１
2009207650.tif 000002
【特許請求の範囲】
【請求項１】
電力供給素子収納空間と消火剤流出空間を有する本体ケースと、前記本体ケースの前記電力供給素子収納空間内に設けた複数の電力供給素子とを備え、前記消火剤流出空間は、前記複数の電力供給素子に向けて消火剤を噴出する消火剤噴出空間と、前記消火剤噴出空間に前記消火剤を供給する消火剤供給空間とを有し、前記消火剤噴出空間と前記電力供給素子収納空間を仕切る第１の壁面には、複数の消火剤噴出孔を設け、前記消火剤噴出空間と前記消火剤供給空間とを仕切る第２の壁面には、複数の消火剤供給孔を設け、前記消火剤供給空間には、開閉弁を介して消火剤タンクを、連結した電力機器。
【請求項２】
前記複数の電力供給素子上に、下方から上方に向けて、前記消火剤噴出空間と、前記消火剤供給空間を順次設けた請求項１に記載の電力機器。
【請求項３】
前記電力供給素子には、少なくとも一つ以上の前記消火剤噴出孔を対向させた請求項１または２に記載の電力機器。
【請求項４】
前記消火剤供給孔の個数を、前記消火剤噴出孔の個数よりも少なくし、かつこの消火剤供給孔の開口面積を、前記消火剤噴出孔の開口面積よりも大きくした請求項１から請求項３のいずれか１項に記載の電力機器。
【請求項５】
前記第２の壁面は、凹凸状とし、その凹部に前記消火剤供給孔を設けた請求項１から請求項４のいずれか１項に記載の電力機器。
【請求項６】
前記第１の壁面の表面を親水性とし、前記第２の壁面の表面を撥水性とした請求項１から請求項５のいずれか１項に記載の電力機器。
【請求項７】
前記第１の壁面、前記第２の壁面をそれぞれ金属板で形成するとともに、前記第１の壁面を構成する金属板の表面は粗面化仕上げ状態とし、前記第２の壁面を構成する金属板の表面は鏡面仕上げ状態とした請求項６に記載の電力機器。
【請求項８】
前記電力供給素子は、電池、もしくはコンデンサとした請求項１から請求項７のいずれか１項に記載の電力機器。
【請求項９】
前記開閉弁は、前記本体ケース内に設置した異常状態検出素子の出力により開放する構成とした請求項１から請求項８のいずれか１項に記載の電力機器。
【請求項１０】
前記異常状態検出素子は、衝撃検出素子、または温度検出素子により構成とした請求項９に記載の電力機器。
【請求項１１】
請求項１から請求項１０のいずれか１項に記載の電力機器を、電源として用いた電子機器。
【請求項１２】
請求項１から請求項１０のいずれか１項に記載の電力機器は、電力供給素子の検査設備として用いた電力供給素子検査設備。
【発明の詳細な説明】
【技術分野】
【０００１】
本発明は、電力機器とそれを用いた電子機器と電力供給素子検査設備、特にその異常時対策に関する。
【背景技術】
【０００２】
電子機器、例えば自動車においては、その動力源として用いた駆動モータを、電力機器からの電力で駆動するものが開発され、省エネルギーの観点から、脚光を浴びている。
【０００３】
また、上記電力機器は、衝突などの異常時に対する安全性を高めるために、この異常時には、消火剤を、複数のノズルから、噴射するようになっている（なお、これに類似する先行文献としては、例えば下記特許文献１がある。）。
【特許文献１】特開平９−７４６０３号公報
【発明の開示】
【発明が解決しようとする課題】
【０００４】
上記従来例における課題は、電力機器が大型化してしまうということであった。
【０００５】
すなわち、電力機器は、その大電力化を図るために、複数の電力供給素子を直列接続、または並列接続した構成となっているので、前記複数の電力供給素子それぞれに消火剤を噴射するノズル、およびその開閉弁も複数個用いており、このようにノズルおよび開閉弁を複数個用いていることが、大型化の原因となっていた。
【０００６】
そこで本発明は、ノズルおよび開閉弁の個数を減少することで、電力機器の小型化を図ることを目的とするものである。
【課題を解決するための手段】
【０００７】
そしてこの目的を達成するために本発明は、電力供給素子収納空間と消火剤流出空間を有する本体ケースと、本体ケースの前記電力供給素子収納空間内に設けた複数の電力供給素子とを備え、消火剤流出空間は、複数の電力供給素子に向けて消火剤を噴出する消火剤噴出空間と、消火剤噴出空間に消火剤を供給する消火剤供給空間とを有し、消火剤噴出空間と電力供給素子収納空間を仕切る第１の壁面には、複数の消火剤噴出孔を設け、消火剤噴出空間と消火剤供給空間とを仕切る第２の壁面には、複数の消火剤供給孔を設け、消火剤供給空間には、開閉弁を介して消火剤タンクを、連結し、これにより初期の目的を達成するものである。
【発明の効果】
【０００８】
以上のように本発明は、電力供給素子収納空間と消火剤流出空間を有する本体ケースと、本体ケースの電力供給素子収納空間内に設けた複数の電力供給素子とを備え、消火剤流出空間は、複数の電力供給素子に向けて消火剤を噴出する消火剤噴出空間と、消火剤噴出空間に消火剤を供給する消火剤供給空間とを有し、消火剤噴出空間と電力供給素子収納空間を仕切る第１の壁面には、複数の消火剤噴出孔を設け、消火剤噴出空間と消火剤供給空間とを仕切る第２の壁面には、複数の消火剤供給孔を設け、消火剤供給空間には、開閉弁を介して消火剤タンクを、連結したものであり、これにより小型化を図ることができる。
【０００９】
すなわち、本発明においては、消火剤タンクから開閉弁を介して消火剤流出空間に流入した消火剤は、先ず消火剤供給空間に供給された後に広がり、次にこの広がった状態で第２の壁面の消火剤供給孔から消火剤噴出空間に供給され、その後第１の壁面に複数設けた消火剤噴出孔から、複数の電力供給素子に向けて噴出するようになっている。
【００１０】
つまり、本発明においては、複数のノズルから消火剤を噴出させるのではなく、第１の壁面に設けた複数の消火剤噴出孔から消火剤を噴出させるので、複数のノズルや開閉弁が必要でなく、その結果として、大幅な小型化が図れるものとなる。
【発明を実施するための最良の形態】
【００１１】
本発明の第１の発明は、電力供給素子収納空間と消火剤流出空間を有する本体ケースと、本体ケースの電力供給素子収納空間内に設けた複数の電力供給素子とを備え、消火剤流出空間は、複数の電力供給素子に向けて消火剤を噴出する消火剤噴出空間と、消火剤噴出空間に消火剤を供給する消火剤供給空間とを有し、消火剤噴出空間と電力供給素子収納空間を仕切る第１の壁面には、複数の消火剤噴出孔を設け、消火剤噴出空間と消火剤供給空間とを仕切る第２の壁面には、複数の消火剤供給孔を設け、消火剤供給空間には、開閉弁を介して消火剤タンクを、連結したものであり、これにより小型化を図ることができる。
【００１２】
すなわち、本発明の第１の発明によれば、消火剤タンクから開閉弁を介して消火剤流出空間に流入した消火剤は、先ず消火剤供給空間に供給された後に広がり、次にこの広がった状態で第２の壁面の消火剤供給孔から消火剤噴出空間に供給され、その後第１の壁面に複数設けた消火剤噴出孔から、複数の電力供給素子に向けて噴出するようになっている。
【００１３】
つまり、本発明においては、複数のノズルから消火剤を噴出させるのではなく、第１の壁面に設けた複数の消火剤噴出孔から消火剤を噴出させるので、複数のノズルや開閉弁が必要でなく、その結果として、大幅な小型化が図れるものとなる。
【００１４】
本発明の第２の発明は、第１の発明において、複数の電力供給素子上に、下方から上方に向けて、消火剤噴出空間と、消火剤供給空間を順次設けたものであるので、消火剤流出空間に流入した消火剤を、第２の壁面の消火剤供給孔、消火剤噴出空間、第１の壁面に複数設けた消火剤噴出孔から、複数の電力供給素子に向けて自然落下力を利用して噴出することができ、安全対策の向上が期待できるものとなる。
【００１５】
本発明の第３の発明は、第１または第２の発明において、電力供給素子には、少なくとも一つ以上の消火剤噴出孔を対向させたものであり、複数設けた電力供給素子一つずつに少なくとも一つ以上の消火剤噴出孔が対向しているので、個々の電力供給素子に確実に消火剤が噴出され、その結果として安全対策の向上が期待できるものとなる。
【００１６】
本発明の第４の発明は、第１から第３のいずれかに記載の発明において、消火剤供給孔の個数を、消火剤噴出孔の個数よりも少なくしたものであるので、開閉弁を介して消火剤供給空間に流入した消火剤は、この消火剤供給空間で広がった状態で消火剤供給孔を介して消火剤噴出空間に供給することができるようになる。
【００１７】
また、消火剤供給孔の開口面積を消火剤噴出孔の開口面積よりも大きくしているので、消火剤が消火剤供給空間から消火剤噴出空間に供給されるときの過大な流路抵抗となることはない。
【００１８】
したがって、複数の消火剤噴出孔から、複数の電力供給素子にスムーズに消火剤を噴出することができ、安全性の高いものとなる。
【００１９】
本発明の第５の発明は、第１から第４のいずれかに記載の発明において、第２の壁面を、凹凸状とし、その内の凹部に消火剤供給孔を設けたものであるので、消火剤供給空間で広がった消火剤を第２の壁面の凹部に形成した消火剤供給孔を介して消火剤噴出空間にスムーズに供給することができるようになる。
【００２０】
したがって、複数の消火剤噴出孔から、複数の電力供給素子にスムーズに消火剤を噴出することができ、安全性の高いものとなる。
【００２１】
本発明の第６の発明は、第１から第５のいずれかに記載の発明において、第１の壁面の表面を親水性とし、第２の壁面の表面を撥水性としたものである。このため、第２の壁面の表面の撥水性を利用し、消火剤供給孔を介して消火剤噴出空間に消火剤をスムーズに供給することができ、また消火剤噴出空間に供給された消火剤を、第１の壁面の表面の親水性を利用して、この第１の壁面に広く広げ、その後この第１の壁面の消火剤噴出孔から複数の電力供給素子に消火剤を噴出させることができるようになり、その結果として安全性の高いものとなる。
【００２２】
本発明の第７の発明は、第６の発明において、第１の壁面、第２の壁面をそれぞれ金属板で形成するとともに、第１の壁面を構成する金属板の表面は粗面化仕上げ状態とし、第２の壁面を構成する金属板の表面は鏡面仕上げ状態としたものであるので、安全性が高く、また製造も容易となる。
【００２３】
すなわち、第１、第２の壁面をそれぞれ金属板で形成しているので、強度、耐熱性が高く、安全性が高いものとなる。
【００２４】
また、第１の壁面を構成する金属板の表面を粗面化仕上げ状態として親水性とし、さらに第２の壁面を構成する金属板の表面を鏡面仕上げ状態として撥水性とするものであるので、製造も容易となる。
【００２５】
本発明の第８の発明は、第１から第７のいずれかに記載の発明において電力供給素子を、電池、もしくはコンデンサとしたものであり、電池、もしくはコンデンサを用いた電力機器の安全性を高めることができる。
【００２６】
本発明の第９の発明は、第１から第８のいずれかに記載の発明において、開閉弁を、異常状態検出素子の出力により開放する構成としたものであり、異常時の安全性を高めることができる。
【００２７】
本発明の第１０の発明は、第９の発明において異常状態検出素子を、衝撃検出素子、または温度検出素子により構成したものであるので、異常衝撃検出時、または異常温度検出時における安全性を高めることができる。
【００２８】
本発明の第１１の発明は、第１から第１０のいずれかに記載の発明の電力機器を、電源として用いた電子機器であり、使用する電子機器の安全性を高めることができる。
【００２９】
本発明の第１２の発明は、第１から第１０のいずれかに記載の電力機器は、電力供給素子の検査設備として用いた電力供給素子検査設備であり、電力供給素子検査設備の安全性を高めることができる。
【００３０】
以下本発明の一実施形態を、図１を用いて説明する。
【００３１】
図１は、電子機器の一例として用いた自動車の動力用モータを駆動するための電力供給機器を示している。
【００３２】
この電力供給機器は、図１に示すように、本体ケース１と、この本体ケース１内に設けた複数の電力供給素子２と、これら複数の電力供給素子２に対向配置した消火剤流出空間３とを備えている。
【００３３】
また、消火剤流出空間３は、複数の電力供給素子２に向けて消火剤を噴出する消火剤噴出孔４を複数個有する消火剤噴出空間５と、この消火剤噴出空間５に複数個の消火剤供給孔６を介して連結された消火剤供給空間７とにより構成され、この消火剤供給空間７に、開閉弁８を介して消火剤タンク９が連結されている。
【００３４】
複数の電力供給素子２は、具体的には、電池、もしくはコンデンサよりなるものであるが、本実施形態では電池を例に説明を続ける。
【００３５】
すなわち、電力供給素子２が電池であった場合、それを複数個直列接続すれば高い電圧の電源となり、また並列接続すれば高容量の電源となり、それを昇圧して自動車駆動用モータ（図示せず）を回転駆動させるようになっている。
【００３６】
さて、このような複数の電力供給素子２上には、上述した消火剤噴出空間５と、消火剤供給空間７を順次設けており、また各電力供給素子２上には、消火剤噴出空間５に開口する少なくとも一つ（できれば複数個）の消火剤噴出孔４を対向させている。
【００３７】
消火剤供給孔６は、金属板製の壁面６Ａに形成したものであり、また消火剤噴出孔４は金属板製の壁面４Ａに形成したものであるが、壁面６Ａに形成した消火剤供給孔６の個数は、壁面４Ａに形成した消火剤噴出孔４の個数よりも少なくし、かつ個々の消火剤供給孔６の開口面積は、個々の消火剤噴出孔４の開口面積よりも大きくしている。
【００３８】
上記開閉弁８は、異常検出手段１０の出力により開放する構成となっている。
【００３９】
この異常検出手段１０は、基本的には上記先行文献１（特開平９−７４６０３号公報）と基本的には同じ構成のものである。
【００４０】
したがって、その内部には、異常状態検出素子１１と、その制御装置１２が設けられ、異常状態検出素子１１を、衝撃検出素子とした場合には、異常衝撃を検出した場合に制御装置１２で開閉弁８を開放し、また異常状態検出素子１１を、温度検出素子とした場合には、異常温度を検出した場合に制御装置１２で開閉弁８を開放する。
【００４１】
そして、このような異常検出により、開閉弁８が開放されると、消火剤タンク９から勢いよく消火剤が開閉弁８を介して消火剤供給空間７内に流入され、先ずはこの消火剤供給空間７で広がり、次にこの広がった状態で消火剤供給孔６から消火剤噴出空間５に供給され、その後複数の消火剤噴出孔４から複数の電力供給素子２に向けて噴出され、安全対策が講じられる。
【００４２】
以上の動作において、上記消火剤供給孔６の個数は、消火剤噴出孔４の個数よりも少なくしたものであるので、開閉弁８を介して消火剤供給空間７に流入した消火剤は、この消火剤供給空間７で広がった状態で消火剤供給孔６を介して消火剤噴出空間５に供給することができる。
【００４３】
また、この消火剤供給孔６の開口面積は、消火剤噴出孔４の開口面積よりも大きくしているので、消火剤が消火剤供給空間７から消火剤噴出空間５に供給されるときの過大な流路抵抗となることはない。
【００４４】
したがって、複数の消火剤噴出孔４から、複数の電力供給素子２にスムーズに消火剤を噴出することができ、安全性の高いものとなる。
【００４５】
なお、本実施形態においては、複数の電力供給素子２上に、消火剤噴出空間５と、消火剤供給空間７を順次設けたものであるので、複数の消火剤噴出孔４からの消火剤の噴出に自然落下力も利用することができ、その結果として安全対策の向上が期待できるものとなる。
【００４６】
また、本実施形態においては、各電力供給素子２には、少なくとも一つ以上の消火剤噴出孔４を対向させており、複数設けた電力供給素子２の一つずつに少なくとも一つ以上の消火剤噴出孔４が対向しているので、個々の電力供給素子２に確実に消火剤が噴出され、その結果として安全対策の向上が期待できるものとなる。
【００４７】
また上記実施形態において、金属板製の壁面６Ａの表面を撥水性とし、金属板製の壁面４Ａの表面を親水性とすれば、消火剤の噴出をさらにスムーズなものとすることができる。
【００４８】
すなわち、金属板製の壁面６Ａの表面を撥水性とすれば、この表面の撥水性を利用し、この壁面６Ａ上から各消火剤供給孔６を介して消火剤噴出空間５に消火剤をスムーズに供給することができる。また、消火剤噴出空間５に供給された消火剤は、壁面４Ａの表面の親水性を利用して、この壁面４Ａ上に広げることができるので、その後消火剤噴出孔４から複数の電力供給素子２に消火剤をスムーズに噴出させることができるようになり、その結果として安全性の高いものとなる。
【００４９】
また、このような撥水性処理、親水性処理も、壁面６Ａ、４Ａをそれぞれ上述にごとく金属板で形成するとともに、撥水性処理は金属板表面の鏡面仕上げで、また親水性処理は金属板表面の鏡面仕上げで、簡単に製造でき、しかも金属製なので強度、耐熱性が高く、安全性の高いものとなる。
【００５０】
さらに上記実施形態における壁面６Ａを、図２に示すごとく、凹凸状とし、その内の凹部に消火剤供給孔６を設ければ、消火剤供給空間７で広がった消火剤を凹部に形成した消火剤供給孔６を介して消火剤噴出空間５にスムーズに供給することができるようになる。
【００５１】
したがって、複数の消火剤噴出孔４から、複数の電力供給素子２にスムーズに消火剤を噴出することができ、安全性の高いものとなる。
【００５２】
また、上記実施形態は、図１に示すものを電子機器の電源として用い、この電子機器の安全性を高めるものであるが、図１に示す構成を、電力供給素子検査設備、つまり電力供給素子２の検査設備として用いる場合もある。
【００５３】
この場合、検査時に電力供給素子２の異常が発生しても、この電力供給素子検査設備の安全性を高めることができる。
【産業上の利用可能性】
【００５４】
以上のごとく本発明は、本体ケースと、本体ケース内に設けた複数の電力供給素子と、複数の電力供給素子に対向配置した消火剤流出空間とを備え、消火剤流出空間は、複数の電力供給素子に向けて消火剤を噴出する消火剤噴出孔を複数有する消火剤噴出空間と、消火剤噴出空間に複数の消火剤供給孔を介して連結された消火剤供給空間とを有し、消火剤供給空間に、開閉弁を介して消火剤タンクを、連結したものであり、これにより小型化を図ることができる。
【００５５】
すなわち、本発明においては、消火剤タンクから開閉弁を介して消火剤流出空間に流入した消火剤は、先ず消火剤供給空間に供給された後に広がり、次にこの広がった状態で消火剤供給孔から消火剤噴出空間に供給され、その後複数の消火剤噴出孔から複数の電力供給素子に向けて噴出するようになっている。
【００５６】
つまり、本発明においては、複数のノズルから消火剤を噴出させるのではなく、複数の消火剤噴出孔から消火剤を噴出させるので、大幅な小型化が図れるものとなる。
【００５７】
したがって、各種電子機器、例えば自動車、非常用電力設備等に活用が期待されるものとなる。
【図面の簡単な説明】
【００５８】
【図１】本発明の一実施形態の断面図
【図２】本発明の他の実施形態の断面図
【符号の説明】
【００５９】
１    本体ケース
２    電力供給素子
３    消火剤流出空間
４    消火剤噴出孔
４Ａ    壁面
５    消火剤噴出空間
６    消火剤供給孔
６Ａ    壁面
７    消火剤供給空間
８    開閉弁
９    消火剤タンク
１０    異常検出手段
１１    異常状態検出素子
１２    制御装置
【図１】
2009207650.tif 000003
【図２】
2009207650.tif 000004